(57)【要約】【課題】内部に異物が入りにくく、着脱の繰り返しに対する耐久性の高い同軸ケーブル用コネクタを提供する。【解決手段】同軸ケーブル用コネクタＣは、レセプタクルＲとプラグＰからなる。レセプタクルは、挿入口４を有するレセプタクルハウジング１０と、挿入口内に形成された係止突起６と、第１接続部材おすコンタクト７を有する。プラグは、同軸ケーブルの先端に接続されためすコンタクト１５と、めすコンタクトを固定するプラグハウジング２０と、プラグハウジングの外面に揺動可能に一体成形された係合孔３１を有する着脱アーム３０を有する。プラグをレセプタクルに差し込むと、着脱アームが撓んで係止突起が係合孔に落ち込んで両者が結合される。【選択図】図５
2009087546.tif 000002
【特許請求の範囲】
【請求項１】
レセプタクルと、前記レセプタクルに着脱可能に装着されるプラグとを有する同軸ケーブル用コネクタにおいて、
前記レセプタクルが、前記プラグが挿入される挿入口が前面に開口して形成されたレセプタクルハウジングと、前記挿入口から挿入された前記プラグを係止するために前記レセプタクルハウジングの挿入口に形成された第１係止部と、前記挿入口の奥端部に取り付けられて前記レセプタクルハウジングの外部に導出される第１接続部材とを有しており、
前記プラグが、同軸ケーブルの先端に接続された第２接続部材と、前後に貫通した装着孔の内部に挿入された前記第２接続部材を前記装着孔の中途に設けた位置決め段部により位置決めして前記装着孔の中途に設けた弾性を有する固定部材で固定するプラグハウジングと、後端部が揺動可能となるように前記プラグハウジングの外面に先端部で接続され、前記第２接続部材が前記レセプタクルハウジングの前記挿入口から挿入されて前記第１接続部材に接続された際に前記第１係止部に係合する第２係止部を備えた着脱アームとを有することを特徴とする同軸ケーブル用コネクタ。
【請求項２】
レセプタクルと、同軸ケーブルに接続されて前記レセプタクルに着脱可能に装着されるプラグとを有する同軸ケーブル用コネクタにおいて、
前記レセプタクルが、前記プラグが挿入される挿入口が前面に開口して形成されたレセプタクルハウジングと、前記挿入口から挿入された前記プラグを係止するために前記レセプタクルハウジングの挿入口の開口の内面に突出して形成された係止突起と、前記挿入口の奥端部に取り付けられて前記レセプタクルハウジングの外部に導出される第１接続部材とを有しており、
前記プラグが、同軸ケーブルの先端に接続された第２接続部材と、前後に貫通した装着孔の内部に挿入された前記第２接続部材を前記装着孔の中途に設けた位置決め段部により位置決めして前記装着孔の中途に設けた弾性を有する固定部材で固定するプラグハウジングと、後端部が揺動可能となるように前記プラグハウジングの外面に先端部で接続され、前記第２接続部材が前記レセプタクルハウジングの前記挿入口から挿入されて前記第１接続部材に接続された際に弾性的に変形して前記係止突起に係合する係合孔を備えた着脱アームとを有することを特徴とする同軸ケーブル用コネクタ。
【請求項３】
機器類に接続されるレセプタクルと、同軸ケーブルに接続されて前記レセプタクルに着脱可能に装着されるプラグとを有する同軸ケーブル用コネクタにおいて、
前記レセプタクルが、所定位置に固定され、前記プラグが挿入される挿入口が前面に開口して形成されるとともに周面が閉止された筒状のレセプタクルハウジングと、前記挿入口から挿入された前記プラグを係止するために前記レセプタクルハウジングの挿入口の開口の上部内面に突出して形成された係止突起と、前記挿入口の奥端部に取り付けられて前記レセプタクルハウジングの外部の機器類に接続される第１接続部材とを有しており、
前記プラグが、同軸ケーブルの先端に接続された第２接続部材と、前後に貫通した装着孔の内部に挿入された前記第２接続部材を前記装着孔の中途に設けた位置決め段部により位置決めし、前記装着孔の中途で壁体を板ばね状に切り欠いて設けた弾性を有する固定部材で固定するプラグハウジングと、後端部が揺動可能となるように前記プラグハウジングの上部外面に先端部で接続され、前記第２接続部材が前記レセプタクルハウジングの前記挿入口から挿入されて前記第１接続部材に接続された際に弾性的に変形して前記係止突起に係合する係合孔を備えた板ばね状の着脱アームとを有することを特徴とする同軸ケーブル用コネクタ。
【請求項４】
前記第１接続部材が、おすコンタクトとめすコンタクトの一方であり、前記第２接続部材が他方であることを特徴とする請求項１乃至３のいずれか一つに記載の同軸ケーブル用コネクタ。
【請求項５】
前記プラグハウジングの後端部の両側面から上方に突出して設けられ、前記着脱アームの後端部を左右から囲んで保護する一対の保護壁を備えたことを特徴とする請求項１乃至４のいずれか一つに記載の同軸ケーブル用コネクタ。
【発明の詳細な説明】
【技術分野】
【０００１】
本発明は、同軸ケーブルを接続するための同軸ケーブル用コネクタに係り、特に内部に異物が入りにくいために接続不良等の不都合が起きにくく、また着脱を繰り返すことによる疲労破壊が生じにくい特殊構造の同軸ケーブル用コネクタに関するものである。
【背景技術】
【０００２】
同軸ケーブル用コネクタは同軸ケーブルを接続するための器具乃至装置であり、同軸ケーブル又は機器類等に接続されるレセプタクルと、同軸ケーブルに接続されて前記レセプタクルに着脱可能に装着されるプラグとを有している。
【０００３】
図７は、上述した従来の同軸ケーブル用コネクタの一例を示すものであり、図７（ａ）は同軸ケーブルの接続端に接続されるプラグのハウジング１００であり、同図（ｂ）は前記プラグが着脱可能に装着されるレセプタクルのハウジング２００である。
【０００４】
図７（ａ）に示すプラグのハウジング１００は、全体として貫通した円筒形の部材であり、図示しない同軸ケーブルの接続端に設けられた第１コンタクト部材（例えばピン部材）が後端の図示しない開口から挿入されて内部で固定され、前端の開口の内部付近に配置される。このプラグのハウジング１００の外周には、略コ字形の貫通した切欠き１１０によって係止部１０１が区画形成され、その自由端である先端は外方に向いた突出部１０２となっている。また、この係止部１０１に近接したハウジングの後端には、一対の切欠き１１１，１１１によって操作部１０３が区画形成されている。そして、略コ字形の前記切欠き１１０と一対の前記切欠き１１１，１１１が微少間隔をおいて対向する位置に設けられることにより、操作部１０３と係止部１０１はてこの如く弾性的に連動する関係となり、操作部１０３を下方に押さえれば係止部１０１が揺動して突出部１０２が上方に移動する。
【０００５】
図７（ｂ）に示すレセプタクルのハウジング２００は、前記プラグのハウジング１００が挿入される円形の挿入口２０１が前面に開口して形成されている角筒状の部材であり、その閉止された図示しない後面の内面側には第２コンタクト部材（例えばソケット部材）が設けられてハウジング２００外に導出され、図示しない基板の機器類に接続されている。レセプタクルのハウジング２００の側面には、貫通した略コ字形の切欠き２１０が形成されてばね状のアーム部２０２が形成され、さらにこのアーム部２０２の内面側には、図示しないが、挿入された前記プラグのハウジング１００の係止部１０１に係止する係止突起が内方に突出して形成されている。
【０００６】
図８に大略図示するように、コネクタの結合時には、プラグのハウジング１００の操作部１０３及び係止部１０１が、レセプタクルのハウジング２００のアーム部２０２が設けられている面に来るように、プラグのハウジング１００をレセプタクルのハウジング２００に挿入する。プラグのハウジング１００の係止部１０１の突出部１０２は、レセプタクルのハウジング２００のアーム部２０２を弾性的に変形させつつ係止突起を外方に押し出して乗り越え、両者は互いに係合して結合される。コネクタの結合を解除する場合は、プラグの操作部１０３を押さえて係止部１０１を外方に揺動させ、突出部１０２によってレセプタクルのアーム部２０２を押し上げ、その状態でプラグを引けばプラグをレセプタクルから抜くことができる。
【発明の開示】
【発明が解決しようとする課題】
【０００７】
前述した従来の同軸ケーブル用コネクタによれば、その着脱構造に次のような問題があった。まず、プラグに設けられた操作部１０３と係止部１０１は、ハウジング１００に貫通して設けた２種類の切欠き１１０、１１１によって形成され、２種類の切欠き１１０、１１１が対向する狭い非貫通部分の変形によって互いに連動する構造であるため、特にコネクタを外す際にハウジング１００の当該非貫通部分に大きな力が加わる。従って、操作を繰り返すうちに当該非貫通部分が破損して２種類の切欠き１１０、１１１がつながってしまい、操作部１０３及び係止部１０１が分離してしまう破損事故がしばしば発生していた。
【０００８】
また、レセプタクルに設けたばね状のアーム部２０２は、ハウジング２００に切欠き２１０を貫通して形成した構造であるため、レセプタクルのハウジング２００内にはアーム部２０２の切欠き２１０を経て外部からほこり等の異物が侵入し易く、レセプタクルのハウジング２００内で行われるピンとソケットの電気的接続に支障が生じる場合があった。
【０００９】
本発明は、以上説明した従来の同軸ケーブル用コネクタの課題を解決するために案出されたものであり、内部に異物が入りにくいために電気接点の接続に不都合が生じにくく、また着脱を繰り返すことによる疲労破壊が生じにくい高耐久性かつ安全な構造の同軸ケーブル用コネクタを提供することを目的としている。
【課題を解決するための手段】
【００１０】
請求項１に記載された同軸ケーブル用コネクタは、
レセプタクルと、前記レセプタクルに着脱可能に装着されるプラグとを有する同軸ケーブル用コネクタにおいて、
前記レセプタクルが、前記プラグが挿入される挿入口が前面に開口して形成されたレセプタクルハウジングと、前記挿入口から挿入された前記プラグを係止するために前記レセプタクルハウジングの挿入口に形成された第１係止部と、前記挿入口の奥端部に取り付けられて前記レセプタクルハウジングの外部に導出される第１接続部材とを有しており、
前記プラグが、同軸ケーブルの先端に接続された第２接続部材と、前後に貫通した装着孔の内部に挿入された前記第２接続部材を前記装着孔の中途に設けた位置決め段部により位置決めして前記装着孔の中途に設けた弾性を有する固定部材で固定するプラグハウジングと、後端部が揺動可能となるように前記プラグハウジングの外面に先端部で接続され、前記第２接続部材が前記レセプタクルハウジングの前記挿入口から挿入されて前記第１接続部材に接続された際に前記第１係止部に係合する第２係止部を備えた着脱アームとを有することを特徴としている。
【００１１】
請求項２に記載された同軸ケーブル用コネクタは、
レセプタクルと、同軸ケーブルに接続されて前記レセプタクルに着脱可能に装着されるプラグとを有する同軸ケーブル用コネクタにおいて、
前記レセプタクルが、前記プラグが挿入される挿入口が前面に開口して形成されたレセプタクルハウジングと、前記挿入口から挿入された前記プラグを係止するために前記レセプタクルハウジングの挿入口の開口の内面に突出して形成された係止突起と、前記挿入口の奥端部に取り付けられて前記レセプタクルハウジングの外部に導出される第１接続部材とを有しており、
前記プラグが、同軸ケーブルの先端に接続された第２接続部材と、前後に貫通した装着孔の内部に挿入された前記第２接続部材を前記装着孔の中途に設けた位置決め段部により位置決めして前記装着孔の中途に設けた弾性を有する固定部材で固定するプラグハウジングと、後端部が揺動可能となるように前記プラグハウジングの外面に先端部で接続され、前記第２接続部材が前記レセプタクルハウジングの前記挿入口から挿入されて前記第１接続部材に接続された際に弾性的に変形して前記係止突起に係合する係合孔を備えた着脱アームとを有することを特徴としている。
【００１２】
請求項３に記載された同軸ケーブル用コネクタは、
機器類に接続されるレセプタクルと、同軸ケーブルに接続されて前記レセプタクルに着脱可能に装着されるプラグとを有する同軸ケーブル用コネクタにおいて、
前記レセプタクルが、所定位置に固定され、前記プラグが挿入される挿入口が前面に開口して形成されるとともに周面が閉止された筒状のレセプタクルハウジングと、前記挿入口から挿入された前記プラグを係止するために前記レセプタクルハウジングの挿入口の開口の上部内面に突出して形成された係止突起と、前記挿入口の奥端部に取り付けられて前記レセプタクルハウジングの外部の機器類に接続される第１接続部材とを有しており、
前記プラグが、同軸ケーブルの先端に接続された第２接続部材と、前後に貫通した装着孔の内部に挿入された前記第２接続部材を前記装着孔の中途に設けた位置決め段部により位置決めし、前記装着孔の中途で壁体を板ばね状に切り欠いて設けた弾性を有する固定部材で固定するプラグハウジングと、後端部が揺動可能となるように前記プラグハウジングの上部外面に先端部で接続され、前記第２接続部材が前記レセプタクルハウジングの前記挿入口から挿入されて前記第１接続部材に接続された際に弾性的に変形して前記係止突起に係合する係合孔を備えた板ばね状の着脱アームとを有することを特徴としている。
【００１３】
請求項４に記載された同軸ケーブル用コネクタは、請求項１乃至３のいずれか一つに記載の同軸ケーブル用コネクタにおいて、
前記第１接続部材が、おすコンタクトとめすコンタクトの一方であり、前記第２接続部材が他方であることを特徴としている。
【００１４】
請求項５に記載された同軸ケーブル用コネクタは、請求項１乃至４のいずれか一つに記載の同軸ケーブル用コネクタにおいて、
前記プラグハウジングの後端部の両側面から上方に突出して設けられ、前記着脱アームの後端部を左右から囲んで保護する一対の保護壁を備えたことを特徴としている。
【発明の効果】
【００１５】
請求項１乃至３に記載された同軸ケーブル用コネクタによれば、外面に着脱アームが揺動可能に設けられたプラグを、レセプタクルの挿入口に挿入すると、着脱アームが弾性的に撓む等して揺動することにより着脱アームの第２係止部がレセプタクルの挿入口の内面にある第１係止部に係合して、レセプタクルとプラグが結合される。レセプタクルに対して結合状態にあるプラグの着脱アームを揺動させて第２係止部をレセプタクルの挿入口の内面にある第１係止部から外し、そのまま引き抜けばプラグをレセプタクルの挿入口から取り外すことができる。
【００１６】
レセプタクルとプラグの着脱操作における可動部であるプラグの着脱アームは、プラグハウジングに先端で固定されている構造であるために十分な強度があり、ハウジング自体に切欠きを形成して設けた可動部とは異なり、繰り返し操作による破損が起きにくい。
【００１７】
また、レセプタクルハウジングにも、レセプタクルとプラグの着脱のために切欠きを形成して設けた可動部はなく、前面の挿入口を除けばプラグ装着後はレセプタクル内は実質的に密閉状態となるので、ほこり等の異物はレセプタクル内に入りにくく、該異物による電気的接続の不都合等は生じにくい。
【００１８】
請求項４に記載された同軸ケーブル用コネクタによれば、請求項１乃至３の同軸ケーブル用コネクタによる効果において、プラグ側をおすコンタクトとし、レセプタクル側をめすコンタクトとしてもよいし、その逆としてもよい。
【００１９】
請求項５に記載された同軸ケーブル用コネクタによれば、請求項１乃至４の同軸ケーブル用コネクタによる効果において、
レセプタクルとプラグの着脱操作における可動部であるプラグの着脱アームが、揺動しうる方向以外に力を受けて破損しないように、プラグハウジングの後端部の両側面から上方に突出して設けられた一対の保護壁によって左右から囲んで保護されているので、本来操作しうる方向にしか可動することができず、操作時等に誤って左右方向に押して破損してしまう恐れが少ない。
【発明を実施するための最良の形態】
【００２０】
以下、本発明の実施の形態（本例）を図面を参照して具体的に説明する。
（１）第１実施形態（図１）
本例の同軸ケーブル用コネクタＣは、同軸ケーブル１を接続するための器具乃至装置であり、図６に示すように、アンテナから導かれた同軸ケーブル１を、地上波デジタルＴＶ用チューナーの制御基板２に接続する等のために用いることができ、制御基板２に固定されて制御基板２に搭載された電子部品乃至機器類に接続されるレセプタクルＲと、同軸ケーブル１に取り付けられて前記レセプタクルＲに着脱可能に結合されるプラグＰとを有している。
【００２１】
図１はレセプタクルＲを示す図であり、同図（ａ）は横断面図、同図（ｂ）は縦断面図、同図（ｃ）は後面側を示す右側面図、（ｄ）は前面側を示す左側面図である。
レセプタクルＲは、左右一対の取り付けプレート３によって基板等の所定位置に固定され、後述する同軸ケーブル１の接続端に取り付けられたプラグＰが挿入されるレセプタクルハウジング１０を有している。このレセプタクルハウジング１０は略四角筒状であり、後述するプラグＰを挿入するため、円柱形の孔４ａの外周に断面矩形の溝４ｂが連続して形成された断面略鍵穴状の挿入口４が前面に開口して形成されており、後面には空気抜きの孔５とコンタクトを取り付けて導出するための孔が形成されているが、周面は閉止されており開口はない。
【００２２】
挿入口４から挿入されたプラグＰを係止するために、レセプタクルハウジング１０の挿入口４の開口の上部内面、すなわち挿入口４の円形の部分に連続する矩形の溝４ｂの上部内面には、係止部としての係止突起６が内方に突出して形成されている。係止突起６は、レセプタクルハウジング１０の挿入口４の前端から奥に行くに従って厚さが増大する案内面と、略垂直な後端面とを有する前方に向けられた略矢形の構造であり、挿入されたプラグＰの一部に係止するようになっている。
【００２３】
レセプタクルハウジング１０の挿入口４の奥端部には、第１接続部材としておすコンタクト７が設けられている。このおすコンタクト７は、ピン状の中心導体８とこれを囲む筒状の外部導体９から構成され、レセプタクルハウジング１０の後面に形成された導出隙間を経て外部にリード１９を導出している。リード１９は外部機器等、例えば図６に示すようにレセプタクルＲが制御基板２上に取り付けられている場合には、制御基板２の電子部品等に接続される。
【００２４】
図２及び図３は、同軸ケーブル１の接続端にプラグＰを取り付ける工程を示す図であり、図４（ａ）は完成したプラグＰの平面図、同図（ｂ）は完成したプラグＰの縦断面図、同図（ｃ）は完成したプラグＰの横断面図である。
図２（ａ）に示すように、同軸ケーブル１の接続端の保護被覆１１を除去し、内部導体１２と、絶縁体１３と、外部導体１４が見えるように加工しておく。この同軸ケーブル１の接続端には、図３（ｃ）に示すように第２接続部材としてめすコンタクト１５が設けられる。めすコンタクト１５は、図２（ａ），（ｂ）に示すように、内部導体１２にカシメによって取り付けられた管状の中心導体１６と、図３（ａ），（ｂ）に示すように中心導体１６をその中心孔に挿入して取り付けた筒状の絶縁体１７と、図３（ａ），（ｂ）に示すように絶縁体１７を取り付ける前に予め同軸ケーブル１に挿通させておき、絶縁体１７を取り付けた後に同軸ケーブル１に沿って前方に移動させて絶縁体１７の周囲に配置した上で、同軸ケーブル１に後端部をカシメで取り付けた筒状の外部導体１８から構成される。
【００２５】
図３（ｃ）に示すように、同軸ケーブル１の接続端に取り付けられためすコンタクト１５を、プラグハウジング２０に挿入して一体化し、プラグＰとする。このプラグハウジング２０は、プラグＰのめすコンタクト１５を保持する部材であり、前述したレセプタクルハウジング１０に挿入することにより、レセプタクルＲのおすコンタクト７にプラグＰのめすコンタクト１５を接続させることができる。
【００２６】
図４に示すように、プラグハウジング２０は前後に貫通した装着孔２１を有する略円筒形状である。図４（ｂ）に示すように、装着孔２１の前後に貫通した装着孔２１の内部の中途には、装着孔２１に挿入されためすコンタクト１５が係止する位置決め段部２２が形成されている。また、図３（ｃ）及び図４（ｂ）に示すように、めすコンタクト１５の外部導体１４の一部には位置決め突起２３が設けられており、この位置決め突起２３が位置決め段部２２に係止すると、めすコンタクト１５の前端がプラグハウジング２０の装着孔２１の前端に位置決めされた状態となる。
【００２７】
図３（ｃ）及び図４（ｃ）に示すように、プラグハウジング２０の装着孔２１の中央部分の一側面には、プラグハウジング２０を構成する壁体を貫通して矩形に切り欠いてなる板ばね状の固定部材２４が設けられている。固定部材２４は装着孔２１の入口側が自由端となっており、自由端の内面側には内方に向けて突出した固定爪２５が設けられている。
【００２８】
従って、図３（ｃ）に示すように、同軸ケーブル１の接続端に取り付けためすコンタクト１５を、プラグハウジング２０の後端に開口した装着孔２１から挿入すると、図４に示すように、めすコンタクト１５の位置決め突起２３がプラグハウジング２０の位置決め段部２２に係止してプラグハウジング２０に対するめすコンタクト１５の位置が定められ、同時にめすコンタクト１５がプラグハウジング２０の装着孔２１内に突出した固定爪２５を乗り越えて係止するので、めすコンタクト１５はプラグハウジング２０内の所定位置に位置決め固定される。
【００２９】
図３（ｃ）及び図４（ａ），（ｂ）に示すように、プラグハウジング２０には、レセプタクルハウジング１０に対する着脱をワンタッチで行うための着脱アーム３０が設けられている。着脱アーム３０は、その後端部が上下揺動可能な自由端となるように、プラグハウジング２０の上部外面に先端部で弾性的に接続されるように一体成形されている。また、着脱アーム３０の自由端の近傍には、レセプタクルハウジング１０に挿入された際に、レセプタクルハウジング１０の係止突起６に係止する係止部としての係合孔３１が形成されている。
【００３０】
図３（ｃ）及び図４（ａ），（ｂ）に示すように、プラグハウジング２０の後端部の両側面には、一対の保護壁３２，３２が上方に突出して設けられており、その間に着脱アーム３０の後端部を左右から囲んで保護している。従って、一対の保護壁３２，３２の間にある着脱アーム３０は上下方向に揺動することはできるが、左右方向に移動することはできず、仮に左右方向の力を受けた場合にも破損することはない。
【００３１】
以上の構成によれば、図５に示すように、プラグＰをレセプタクルＲの挿入口４に挿入すると、着脱アーム３０が弾性的に撓んで下方に揺動し、着脱アーム３０の係合孔３１がレセプタクルＲの挿入口４の内面にある係合突起６に引っ掛かり、レセプタクルＲとプラグＰが結合される。この状態で、プラグＰのめすコンタクト１５と、レセプタクルＲのおすコンタクト７は互いに連結されている。
【００３２】
プラグＰをレセプタクルＲから外す場合には、プラグＰの着脱アーム３０を押し下げて係合孔３１をレセプタクルＲの係合突起６から外し、そのまま引き抜けばプラグＰのめすコンタクト１５が、レセプタクルＲのおすコンタクト７から引き抜かれ、プラグＰをレセプタクルＲの挿入口４から取り外すことができる。
【００３３】
レセプタクルＲとプラグＰの着脱操作において、両部材の係合構造を機能させ、又は解除するための可動部であるプラグＰの着脱アーム３０は、プラグハウジング２０に先端で一体成形によって固定されている構造であるために十分な強度があり、ハウジング自体に切欠きを形成して設けた可動部とは異なり、繰り返し操作による破損が起きにくい。また、着脱アーム３０は、本来の可動方向（上下方向）以外の方向である左右方向について外力を受けたとしても、左右方向について一対の保護壁３２，３２に挟まれて移動することができないので、前記外力は一対の保護壁３２，３２で保持されて着脱アーム３０を破損することはない。
【００３４】
また、レセプタクルハウジング１０にも、レセプタクルＲとプラグＰの着脱のための構造として切欠きにより形成した可動部はなく、前面の挿入口４及び挿着時の空気抜きの孔５を除けば、プラグＰの装着後はレセプタクルＲ内は実質的に密閉状態となるので、ほこり等の異物はレセプタクルＲ内に入りにくく、該異物による電気的接続の不都合等は生じにくい。
【００３５】
図６は、本例の同軸ケーブル用コネクタＣの実際の使用状態の一例を示す斜視図である。この例では、本例の同軸ケーブル用コネクタＣは、アンテナから導いた同軸ケーブル１を、地上波デジタルＴＶ用チューナーの制御基板２に接続するために用いられており、制御基板２に取付けプレート３で取り付けられたレセプタクルＲは、制御基板２の図示しない機器類に接続されており、同軸ケーブル１に取り付けられたプラグＰが前記レセプタクルＲに着脱可能に結合されている。
【００３６】
この地上波デジタルＴＶ用チューナーの制御基板２には、図示はしないが信号処理用の素子・機器類（図示せず）が搭載されており、アンテナから同軸ケーブル１及び同軸ケーブル用コネクタＣを介して入力したデジタル信号を処理し、音声・映像信号として出力端子４０からｋ−ぶるを介して図示しないＴＶに送り出すことができる。
【００３７】
以上説明した実施形態では、レセプタクルＲがおすコンタクト７であり、プラグＰがめすコンタクト１５であったが、これは反対でもよい。また、プラグＰの着脱アーム３０の係止部が係合孔３１であり、レセプタクルＲの係止部が係止突起６であったが、これらの孔と突起の関係は逆でもよい。さらに、制御基板２に固定されたレセプタクルＲにプラグＰが挿入されるものとしたが、レセプタクルＲの接続部材に同軸ケーブル１が接続され、レセプタクルＲとプラグＰの結合によって２本の同軸ケーブル１が結合されるものとしてもよい。
【図面の簡単な説明】
【００３８】
【図１】図１は本発明の実施形態である同軸ケーブル用コネクタのレセプタクルを示す図であり、同図（ａ）は横断面図、同図（ｂ）は縦断面図、同図（ｃ）は後面側を示す左側面図、（ｄ）は前面側を示す右側面図である。
【図２】図２は本発明の実施形態である同軸ケーブル用コネクタのプラグを製造する工程を示す図である。
【図３】図３は本発明の実施形態である同軸ケーブル用コネクタのプラグを製造する工程を示す図である。
【図４】図４は本発明の実施形態である同軸ケーブル用コネクタのプラグを示す図であり、同図（ａ）は平面図、同図（ｂ）は縦断面図、同図（ｃ）は横断面図である。
【図５】図５は本発明の実施形態である同軸ケーブル用コネクタの結合状態を示す縦断面図である。
【図６】図６は本例の同軸ケーブル用コネクタの使用状態の一例を示す斜視図である。
【図７】図７（ａ）は従来の同軸ケーブル用コネクタの一例におけるプラグのハウジングの斜視図であり、同図（ｂ）は従来の同軸ケーブル用コネクタの一例におけるレセプタクルのハウジングの斜視図である。
【図８】図８は従来の同軸ケーブル用コネクタの結合状態を示す平面図である。
【符号の説明】
【００３９】
１…同軸ケーブル
４…挿入口
６…係止部としての係止突起
７…第１接続部材としてのおすコンタクト
１０…レセプタクルハウジング
１５…第２接続部材としてのめすコンタクト
２０…プラグハウジング
２１…装着孔
２２…位置決め段部
２３位置決め突起
２４…固定部材
３０…着脱アーム
３１…係止部としての係合孔
Ｐ…プラグ
Ｒ…レセプタクル
Ｃ…同軸ケーブル用コネクタ
【図１】
2009087546.tif 000003
【図２】
2009087546.tif 000004
【図３】
2009087546.tif 000005
【図４】
2009087546.tif 000006
【図５】
2009087546.tif 000007
【図６】
2009087546.tif 000008
【図７】
2009087546.tif 000009
【図８】
2009087546.tif 000010